(57)【要約】【課題】操作性を向上できる制御装置及び電動家具を提供する。【解決手段】実施形態によれば、制御装置は、操作部及びコネクタを含む。前記操作部は、操作面と、を含む。前記操作面は、電動家具の可動部の制御操作を受け付け可能な操作受付部を含む。前記操作部は、第１端部と第２端部とを含む。前記第１端部から前記第２端部に向かう第１方向は、前記操作面から前記裏面に向かう第２方向と交差する。前記第１端部は、前記操作面と接続された操作面側端部と、前記操作面側端部及び前記裏面と接続された裏面側端部と、を含む。前記裏面側端部は、前記第１方向において前記操作面側端部よりも後退している。前記コネクタは、前記裏面側端部に設けられ、前記電動家具に接続可能なケーブルが脱着可能に接続される。【選択図】図１
2018185991.tif 000002
【特許請求の範囲】
【請求項１】
電動家具の可動部の制御操作を受け付け可能な操作受付部を含む操作面と、前記操作面とは反対側の裏面と、を含む操作部であって、前記操作部は、第１端部と第２端部とを含み、前記第１端部から前記第２端部に向かう第１方向は、前記操作面から前記裏面に向かう第２方向と交差し、前記第１端部は、前記操作面と接続された操作面側端部と、前記操作面側端部及び前記裏面と接続された裏面側端部と、を含み、前記裏面側端部は、前記第１方向において前記操作面側端部よりも後退しており、
前記裏面側端部に設けられ、前記電動家具に接続可能なケーブルが脱着可能に接続されるコネクタと、
を備えた制御装置。
【請求項２】
電動家具の可動部の制御操作を受け付け可能な操作受付部を含む操作面と、前記操作面とは反対側の裏面と、を備え、
前記裏面は、第１裏面部分と、第２裏面部分と、前記第１裏面部分と前記第２裏面部分との間の第３裏面部分と、を含み、前記裏面と前記操作面との間の距離は、前記第１裏面部分から前記第３裏面部分に向かって減少し、前記距離は、前記第２裏面部分から前記第３裏面部分に向かって減少する制御装置。
【請求項３】
電動家具の可動部の制御操作を受け付け可能な操作受付部を含む操作面と、前記操作面とは反対側の裏面と、を備え、
前記裏面が水平面に対向するように前記操作部を前記水平面においたときに、前記操作部は、自立可能である制御装置。
【請求項４】
電動家具の可動部の制御操作を受け付け可能な操作受付部を含む操作面と、前記操作面とは反対側の裏面と、を含む操作部と、
前記裏面の上端部と接続されたフックと、
を備え、
前記フックは、
前記裏面から離れる方向に延びる第１部分と、
前記第１部分に接続され前記第１部分から下方向に向けて延びる第２部分と、
を含み、
前記第２部分の横方向の幅は、前記操作部の前記横方向の幅の０．５倍以上である制御装置。
【請求項５】
前記操作部に設けられた端部スイッチをさらに備え、
前記端部スイッチは、呼び出し信号の送信、電気機器の操作、及び、照明の操作の少なくともいずれかを実施可能である。請求項１〜４のいずれか１つに記載の制御装置。
【請求項６】
前記ケーブルをさらに備えた、請求項１〜５のいずれか１つに記載の制御装置。
【請求項７】
請求項１〜６のいずれか１つに記載の制御装置と、
前記可動部と、
を備えた電動家具。
【発明の詳細な説明】
【技術分野】
【０００１】
本発明の実施形態は、制御装置及び電動家具に関する。
【背景技術】
【０００２】
例えば、高さや背もたれの角度を変更可能な電動家具（例えば、電動ベッドまたは電動椅子など）がある。これらの電動家具は、手元スイッチなどの制御装置（例えばリモートコントローラ：リモコン）により操作される。このような制御装置において、操作性の向上が望まれる。
【先行技術文献】
【特許文献】
【０００３】
【特許文献１】特許第５６４００２３号公報
【発明の概要】
【発明が解決しようとする課題】
【０００４】
本発明の実施形態は、操作性を向上できる制御装置及び電動家具を提供する。
【課題を解決するための手段】
【０００５】
実施形態によれば、制御装置は、操作部及びコネクタを含む。前記操作部は、操作面と、前記操作面とは反対側の裏面と、を含む。前記操作面は、電動家具の可動部の制御操作を受け付け可能な操作受付部を含む。前記操作部は、第１端部と第２端部とを含む。前記第１端部から前記第２端部に向かう第１方向は、前記操作面から前記裏面に向かう第２方向と交差する。前記第１端部は、前記操作面と接続された操作面側端部と、前記操作面側端部及び前記裏面と接続された裏面側端部と、を含む。前記裏面側端部は、前記第１方向において前記操作面側端部よりも後退している。前記コネクタは、前記裏面側端部に設けられ、前記電動家具に接続可能なケーブルが脱着可能に接続される。  
別の実施形態によれば、制御装置は、電動家具の可動部の制御操作を受け付け可能な操作受付部を含む操作面と、前記操作面とは反対側の裏面と、を含む。前記裏面は、第１裏面部分と、第２裏面部分と、前記第１裏面部分と前記第２裏面部分との間の第３裏面部分と、を含む。前記裏面と前記操作面との間の距離は、前記第１裏面部分から前記第３裏面部分に向かって減少し、前記距離は、前記第２裏面部分から前記第３裏面部分に向かって減少する。  
別の実施形態によれば、制御装置は、電動家具の可動部の制御操作を受け付け可能な操作受付部を含む操作面と、前記操作面とは反対側の裏面と、を含む。前記裏面が水平面に対向するように前記操作部を前記水平面においたときに、前記操作部は、自立可能である。  
別の実施形態によれば、制御装置は、操作部と、フックと、を含む。前記操作部は、電動家具の可動部の制御操作を受け付け可能な操作受付部を含む操作面と、前記操作面とは反対側の裏面と、を含む。前記フックは、前記裏面の上端部と接続される。前記フックは、前記裏面から離れる方向に延びる第１部分と、前記第１部分に接続され前記第１部分から下方向に向けて延びる第２部分と、を含む。前記第２部分の横方向の幅は、前記操作部の前記横方向の幅の０．５倍以上である。
【発明の効果】
【０００６】
本発明の実施形態は、操作性を向上できる制御装置及び電動家具を提供できる。
【図面の簡単な説明】
【０００７】
【図１】図１（ａ）〜図１（ｄ）は、実施形態に係る制御装置及び電動家具を例示する模式的斜視図である。
【図２】図２（ａ）及び図２（ｂ）は、実施形態に係る制御装置を例示する模式図である。
【図３】図３（ａ）及び図３（ｂ）は、実施形態に係る制御装置を例示する模式図である。
【図４】図４は、実施形態に係る別の制御装置を例示する模式的斜視図である。
【図５】図５は、実施形態に係る制御装置を含む別の電動家具を例示する模式的斜視図である。
【発明を実施するための形態】
【０００８】
以下に、本発明の実施形態について図面を参照しつつ説明する。  
図面は模式的または概念的なものであり、各部分の厚さと幅との関係、部分間の大きさの比率などは、必ずしも現実のものと同一とは限らない。同じ部分を表す場合であっても、図面により互いの寸法や比率が異なって表される場合もある。  
本願明細書と各図において、既出の図に関して前述したものと同様の要素には同一の符号を付して詳細な説明は適宜省略する。
【０００９】
図１（ａ）〜図１（ｄ）は、実施形態に係る制御装置及び電動家具を例示する模式的斜視図である。  
図１（ａ）に示すように、実施形態に係る制御装置１１０は、電動家具３１０と共に用いられる。制御装置１１０は、電動家具３１０の可動部７０を制御することができる。制御装置１１０は、例えば、電動家具３１０のリモートコントローラ（リモコン）である。制御装置１１０は、例えば、手元スイッチである。制御装置１１０は、照明の入り切り機能、看護者または介護者の呼び出し機能、または、電源の入り切り機能などの種々の機能を有しても良い。
【００１０】
電動家具３１０は、例えば、病院、介護施設、または、家庭などで使用される。
【００１１】
この例では、電動家具３１０は、電動ベッドである。電動ベッドは、可動部７０を有する。可動部７０は、例えば、背ボトム７０ａ、膝ボトム７０ｂ、脚ボトム７０ｃ及び高さ変更部７０ｄなどを含む。背ボトム７０ａ、膝ボトム７０ｂ及び脚ボトム７０ｃにおいて、互いの角度は変更可能である。背ボトム７０ａの動作により、利用者の背の角度が変更可能である。膝ボトム７０ｂと脚ボトム７０ｃとの間の角度の変更により、膝の角度が変更可能である。これらの角度は、連動して変化しても良い。高さ変更部７０ｄは、例えば、床面とベッド面との間の距離（高さ）を変更可能である。これらの可動部７０には、例えばアクチュエータなどが用いられる。可動部７０の動作により、「背上げ」、「膝上げ」及び「高さ調整」などの少なくともいずれかが可能である。
【００１２】
制御装置１１０は、上記の可動部７０と電気的に接続される。制御装置１１０と可動部７０との間に、制御回路が設けられても良い。このように、間に他の回路が設けられる場合も、電気的に接続される状態に含まれる。
【００１３】
図１（ａ）に示すように、制御装置１１０は、ケーブル１５により、電動家具３１０と接続される。図１（ｂ）及び図１（ｃ）に示すように、制御装置１１０は、操作部１０及びコネクタ１４を含む。
【００１４】
図１（ｂ）に示すように、操作部１０は、操作面１０ａを含む。操作面１０ａは、操作受付部２０を含む。操作受付部２０は、電動家具３１０の可動部７０の制御操作を受け付け可能である。制御操作は、例えば、制御装置１１０の操作者（利用者）により行われる。
【００１５】
例えば、操作受付部２０として、複数の操作ボタンが用いられる。例えば、「頭」に関する上昇のボタン２２ａが押されると、背ボトム７０ａの角度が大きくなる。例えば、「頭」に関する下降のボタン２２ｂが押されると、背ボトム７０ａの角度が小さくなる。例えば、「足」に関する上昇のボタン２３ａが押されると、膝ボトム７０ｂ及び脚ボトム７０ｃの角度が大きくなる。例えば、「足」に関する下降のボタン２３ｂが押されると、膝ボトム７０ｂ及び脚ボトム７０ｃの角度が小さくなる。これらの角度は、例えば、水平面からの角度である。例えば、「高さ」に関する上昇のボタン２４ａが押されると、ベッド面が高くなる。例えば、「高さ」に関する下降のボタン２４ｂが押されると、ベッド面が低くなる。例えば、「連動」に関する上昇のボタン２１ａが押されると、「頭」及び「足」が連動して変化する。例えば、「連動」に関する下降のボタン２１ｂが押されると、「頭」及び「足」が連動して変化する。これらの変化は、可動部７０の動作により行われる。例えば、操作ボタンを押し続けている期間に、上記の動作が行われる。これにより、安全な動作が得られる。
【００１６】
この例では、操作受付部２０は、第１メモリーポジションに関するボタン２５ａ、及び、第２メモリーポジションに関するボタン２５ｂをさらに含む。ボタン２５ａが押されると、第１メモリーポジションが形成される。ボタン２５ｂが押されると、第２メモリーポジションが形成される。第１メモリーポジションは、背ボトム７０ａ、膝ボトム７０ｂ、脚ボトム７０ｃ及び高さ変更部７０ｄのそれぞれの状態の組み合わせの１つの状態に対応する。第２メモリーポジションは、背ボトム７０ａ、膝ボトム７０ｂ、脚ボトム７０ｃ及び高さ変更部７０ｄのそれぞれの状態の組み合わせの別の１つの状態に対応する。これらのメモリーポジションは、制御装置１１０（または電動家具３１０）の操作者（使用者）により設定されても良い。これらのメモリーポジションは、電動家具３１０の使用者の介護者（看護師など）により、設定されても良い。
【００１７】
操作受付部２０には、機械的な接点を有するスイッチの他、静電式または光学式などの任意の入力装置（例えばタッチスイッチなど）が用いられても良い。
【００１８】
図１（ｂ）に示すように、操作面１０ａに表示領域２８が設けられても良い。表示領域２８は、例えば、電動家具３１０の可動部７０に関する情報（ボトムの角度や高さなど）を表示可能である。表示領域２８は、操作受付部２０の機能または動作状態に関する情報を表示しても良い。
【００１９】
操作部１０は、操作面１０ａに加えて、裏面１０ｂをさらに含む。裏面１０ｂは、操作面１０ａとは反対側の面である。さらに、操作部１０は、第１端部１０ｅａと第２端部１０ｅｂとを含む。第１端部１０ｅａから第２端部１０ｅｂに向かう第１方向Ｄ１は、操作面１０ａから裏面１０ｂに向かう第２方向Ｄ２と交差している。第１方向Ｄ１は、例えば、下から上に向かう方向である。
【００２０】
例えば、操作部１０は、第１方向Ｄ１に沿って延びている。操作部１０の第１方向Ｄ１に沿った長さは、操作部１０の第２方向Ｄ２に沿った長さよりも長い。第１端部１０ｅａは、第１方向Ｄ１における一方の端部（例えば、下端部）である。第２端部１０ｅｂは、第１方向Ｄ１における他方の端部（例えば、上端部）である。
【００２１】
第１端部１０ｅａは、操作面側端部１１ｂ及び裏面側端部１２ｂを有する。操作面側端部１１ｂは、操作面１０ａと接続される。裏面側端部１２ｂは、操作面側端部１１ｂ及び裏面１０ｂと接続される。裏面側端部１２ｂは、例えば、操作面側端部１１ｂと裏面１０ｂとの間にある。操作面側端部１１ｂは、例えば、操作面１０ａ側の下端部に対応する。裏面側端部１２ｂは、例えば、裏面１０ｂ側の下端部に対応する。
【００２２】
図１（ｂ）、図１（ｃ）及び図１（ｄ）に示すように、裏面側端部１２ｂは、第１方向Ｄ１において操作面側端部１１ｂよりも後退している。
【００２３】
図１（ｄ）に示すように、コネクタ１４は、操作部１０の裏面側端部１２ｂに設けられる。コネクタ１４には、電動家具３１０に接続可能なケーブル１５が脱着可能に接続される。
【００２４】
例えば、ケーブル１５は、ワイヤ部１５ａと、ケーブルコネクタ１５ｃと、を含む。ワイヤ部１５ａの一端が、ケーブルコネクタ１５ｃと接続される。ワイヤ部１５ａの他端は、電動家具３１０と接続可能である。ケーブルコネクタ１５ｃは、操作部１０のコネクタ１４と脱着可能に接続される。
【００２５】
図１（ｄ）は、ケーブルコネクタ１５ｃがコネクタ１４から離れている状態に対応する。図１（ｃ）は、ケーブルコネクタ１５ｃがコネクタ１４と接続されている状態に対応する。
【００２６】
このような操作部１０及びコネクタ１４を含む制御装置１１０においては、良好な操作性が得られる。
【００２７】
一般に、制御装置（リモートコントローラ）と電動家具とを接続するケーブルにおいて、損傷が発生する場合がある。これは、例えば、電動家具の使用中などにケーブルに大きな力が加わることがあるためである。このため、損傷したケーブルだけを交換できることが好ましい。このために、ケーブルは、操作部と脱着可能に接続できることが好ましい。
【００２８】
例えば、ケーブル１５にケーブルコネクタ１５ｃを設け、このケーブルコネクタ１５ｃに対応したコネクタ１４を操作部１０に設けることが考えられる。このとき、コネクタ１４を操作部１０の操作面側の下端部に設ける参考例においては、操作に必要な操作面１０ａの大きさを維持しようとすると、制御装置の全長が長くなる。全長が長いと制御装置（リモートコントローラ）が持ち難くなる。このため、このような参考例においては、操作性が悪い。
【００２９】
これに対して、実施形態に係る制御装置１１０においては、操作部１０の裏面側端部１２ｂが、操作面側端部１１ｂよりも後退している（図１（ｂ）及び後述の図２（ｂ）など参照）。後退の方向は、第１方向Ｄ１に沿う方向である。そして、この後退した裏面側端部１２ｂに、コネクタ１４が設けられる。これにより、操作に必要な操作面１０ａの大きさを維持しつつ、全長が長くなることが抑制できる。これにより、制御装置１１０（リモートコントローラ）が持ちやすくなり、良好な操作性が得られる。そして、ケーブル１５が損傷した場合にも、損傷したケーブル１５だけを交換することで、所定の制御操作が安全に実施できる。
【００３０】
裏面側端部１２ｂの操作面側端部１１ｂに対する後退量（後述する図２（ｂ）に例示する距離ｄｙ）は、例えば、１ｍｍ以上２５ｍｍ以下である。距離ｄｙは、第１方向Ｄ１に沿った距離である。
【００３１】
図１（ｃ）及び図１（ｄ）に示すように、この例では、裏面１０ｂに別のボタン（スイッチ５０）が設けられている。スイッチ５０は、例えば、任意の機能を有することができる。スイッチ５０は、例えば、制御装置１１０のオン／オフなどのスイッチとして機能しても良い。スイッチ５０は、制御装置１１０の筐体の側面に設けられても良い。
【００３２】
この例では、フック３０が設けられている。フック３０により、操作部１０は、例えば、電動家具３１０のサイドレールやベッド用グリップなどに保持可能である。例えば、操作を行わないときに操作受付部２０（ボタン）が押されることなどが抑制できる。より安全で操作性の良好な制御装置を提供できる。
【００３３】
上記のように、実施形態に係る制御装置１１０においては、操作部１０の裏面側端部１２ｂにコネクタ１４が設けられる。このため、例えば、裏面側端部１２ｂの厚さは、他の部分よりも厚い。例えば、図１（ｄ）に示すように、裏面１０ｂは、弓状の形状を有することができる。このような形状により、操作部１０は、操作者（使用者）の手で持ち易い。これにより、より良好な操作性が得られる。
【００３４】
以下、このような形状の例について説明する。  
図２（ａ）及び図２（ｂ）は、実施形態に係る制御装置を例示する模式図である。  
図２（ａ）は、斜視図である。図２（ｂ）は、側面図である。  
図２（ａ）に示すように、操作面１０ａは、実質的に平面である。これにより、操作面１０ａが見やすい。操作受付部２０（例えばボタン）の形成も容易である。一方、裏面１０ｂにおいては、中央部分が、上端部分及び下端部分に対して後退している。例えば、操作面１０ａと裏面１０ｂとの間の距離（操作部１０の厚さ）は、連続的に変化している。
【００３５】
図２（ａ）及び図２（ｂ）に示すように、裏面１０ｂは、第１裏面部分１３ａ、第２裏面部分１３ｂ及び第３裏面部分１３ｃを含む。第１裏面部分１３ａから第２裏面部分１３ｂに向かう方向は、第１方向Ｄ１に沿う。第１裏面部分１３ａは、例えば、下部分である。第２裏面部分１３ｂは、例えば、上部分である。第３裏面部分１３ｃは、第１裏面部分１３ａと第２裏面部分１３ｂとの間に位置する。第３裏面部分１３ｃは、例えば、中部分に対応する。図２（ｂ）に示すように、裏面１０ｂと操作面１０ａとの間の距離ｄｘは、第１裏面部分１３ａから第３裏面部分１３ｃに向かって減少する。この距離ｄｘは、第２裏面部分１３ｂから第３裏面部分１３ｃに向かって減少する。これらの減少は、例えば単調減少である。
【００３６】
例えば、第１裏面部分１３ａと操作面１０ａとの間の距離ｄ１は、第３裏面部分１３ｃと操作面１０ａとの間の距離ｄ３よりも長い。第２裏面部分１３ｂと操作面１０ａとの間の距離ｄ２は、距離ｄ３よりも長い。例えば、距離ｄｘは、連続的に変化している。例えば、距離ｄｘが実質的に一定である区間（上下方向の区間）は、実質的に設けられなくても良い。例えば、距離ｄｘが実質的に一定である区間の長さ（第１方向Ｄ１、すなわち、上下方向の長さ）は、操作部１０の第１方向Ｄ１（上下方向）の長さの１／５以下である。
【００３７】
例えば、第１裏面部分１３ａは、操作面１０ａに対して傾斜している。第２裏面部分１３ｂは、操作面１０ａに対して傾斜している。これらの傾斜の方向は、互い逆である。このような傾斜を設けることで、操作部１０の厚さは、第１裏面部分１３ａ及び第２裏面部分１３ｂでは厚く、第３裏面部分１３ｃでは薄くなる。
【００３８】
例えば、操作部１０において、操作面１０ａと裏面１０ｂとの間の距離が最も短い部分が、操作部１０の上端（第２端部１０ｅｂ）と下端（第１端部１０ｅａ）との間に存在する。この最も距離が短い部分は、上端と下端との間の中間部分にある。例えば、最も距離が短い部分と下端との間の距離は、上端と下端との間の距離の０．３倍以上０．７倍以下（約０．５倍）である。最も距離が短い部分により、操作部１０が、操作者（使用者）の手にフィットする。
【００３９】
このような形状により、例えば、操作者（使用者）が操作部１０を手で持ったときに、操作部１０は、手にフィットする。例えば、手の位置のずれが少なくなる。操作者は、手で持ったときの感覚で、自分がどのボタンを押そうとしているのかが分かりやすくなる。より良好な操作性が得られる。誤操作が抑制できる。
【００４０】
図２（ｂ）に示すように、制御装置１１０においては、フック３０は、操作部１０の裏面１０ｂの上端部１０ｂｔと接続されている。フック３０は、下方向に向けて折れ曲がっている。フック３０は、第１部分３１及び第２部分３２を含む。第１部分３１は、操作部１０の裏面１０ｂの上端部１０ｂｔと接続される。第１部分３１は、裏面１０ｂから離れる方向に延びる。第２部分３２は、第１部分３１と接続され、第１部分３１から下方向に向けて延びる。第２部分３２は、裏面１０ｂから離れている。第２部分３２と裏面１０ｂとの間の空間に、電動家具３１０に設けられるサイドレールなどが挿入される。これにより、操作部１０は、サイドレールなどに保持される。
【００４１】
図３（ａ）及び図３（ｂ）は、実施形態に係る制御装置を例示する模式図である。  
図３（ａ）は、背面図である。図３（ｂ）は、側面図である。  
図３（ａ）に示すように、制御装置１１０においては、フック３０の幅が広い。例えば、フック３０の第２部分３２の横方向の幅ｗ２は、操作部１０の横方向の幅ｗ１の０．５倍以上である。横方向（第３方向Ｄ３）は、第１方向Ｄ１及び第２方向Ｄ２（図１（ｂ）参照））と交差する（例えば垂直な）方向である。
【００４２】
これにより、図３（ｂ）に示すように、裏面１０ｂが水平面８８に対向するように、操作部１０を水平面８８においたときに、操作部１０は、自立可能である。
【００４３】
例えば、幅ｗ２が幅ｗ１の０．５倍未満のときは、操作部１０を水平面８８においたときに、操作部１０の重力により、操作部１０が水平面８８に向けて倒れ易い。自立が困難である。幅ｗ２を大きくすることで、自立が容易になる。
【００４４】
幅ｗ２が過度に大きいと、電動家具３１０のサイドレールなどへ操作部１０を掛けることおよび外すことが困難になる。例えば、幅ｗ２は、幅ｗ１未満であることが好ましい。
【００４５】
図３（ｂ）に示すように、この例では、フック３０は、第３部分３３及び第４部分３４をさらに含む。第４部分３４と第１部分３１との間に第２部分３２がある。第４部分３４と第２部分３２との間に第３部分３３がある。
【００４６】
操作部１０の裏面１０ｂと第３部分３３との間の距離ｄ３３は、裏面１０ｂと第２部分３２との間の距離ｄ３４よりも短く、裏面１０ｂと第４部分３４との間の距離ｄ３４よりも短い。例えば、フック３０と裏面１０ｂとの間の距離は、第２部分３２において長く、第３部分３３において短く、第４部分３４において長い。これにより、例えば、フック３０をサイドレールなどに掛けること、及び、外すことが容易になる。
【００４７】
図３（ｂ）に示すように、操作部１０を水平面８８の上に置いたときに、第４部分３４が水平面８８に接触しても良い。
【００４８】
図３（ａ）に示すように、フック３０の第４部分３４の横方向の幅ｗ３は、操作部１０の横方向の幅ｗ１の０．５倍以上である。これにより、操作部１０が自立しやすくなる。幅ｗ３は、幅ｗ１未満であることが好ましい。操作部１０をサイドレールなどに掛けることおよび外すことが容易になる。
【００４９】
上記の第４部分３４を上記の第２部分３２と見なしても良い。
【００５０】
図４は、実施形態に係る別の制御装置を例示する模式的斜視図である。  
図４に示すように、実施形態に係る別の制御装置１１１においては、操作部１０、及び、コネクタ１４（図４では図示しない）に加え、端部スイッチ５１をさらに含む。端部スイッチ５１は、操作部１０の端部（例えば上部）に設けられている。端部スイッチ５１により、例えば、電動家具３１０の可動部７０以外の操作が可能である。端部スイッチ５１は、例えば、呼び出し信号の送信、電気機器の操作、及び、照明の操作の少なくともいずれかを実施可能である。呼び出し信号は、例えば、看護者などへの連絡のための信号である。電気機器は、例えば、電動家具３１０（例えばベッド）の近傍に設けられるテレビジョン、ラジオ及びパーソナルコンピュータの少なくともいずれかを含む。照明は、例えば、天井灯及びフットライトの少なくともいずれかを含む。
【００５１】
端部スイッチ５１を操作面１０ａとは異なる部分に設けることで、誤操作が抑制できる。操作性を向上できる制御装置が提供できる。
【００５２】
上記の実施形態において、制御装置１１０及び１１１は、ケーブル１５を含んでも良い。
【００５３】
図５は、実施形態に係る制御装置を含む別の電動家具を例示する模式的斜視図である。  図５に示すように、電動家具３１１は、電動椅子である。電動家具３１１は、可動部７０を含む。可動部７０は、例えば、背もたれ部７０ｅ及び座面部７０ｆを含む。実施形態に係る制御装置１１０（または１１１）により、これらの可動部７０が制御される。電動家具３１１においても、操作性を向上できる電動家具が提供できる。
【００５４】
実施形態によれば、操作性を向上できる制御装置及び電動家具が提供できる。
【００５５】
以上、具体例を参照しつつ、本発明の実施の形態について説明した。しかし、本発明は、これらの具体例に限定されるものではない。例えば、制御装置に含まれる操作部、コネクタ及びケーブルなどの各要素の具体的な構成に関しては、当業者が公知の範囲から適宜選択することにより本発明を同様に実施し、同様の効果を得ることができる限り、本発明の範囲に包含される。
【００５６】
各具体例のいずれか２つ以上の要素を技術的に可能な範囲で組み合わせたものも、本発明の要旨を包含する限り本発明の範囲に含まれる。
【００５７】
その他、本発明の実施形態として上述した制御装置及び電動家具を基にして、当業者が適宜設計変更して実施し得る全ての制御装置及び電動家具も、本発明の要旨を包含する限り、本発明の範囲に属する。
【００５８】
その他、本発明の思想の範疇において、当業者であれば、各種の変更例及び修正例に想到し得るものであり、それら変更例及び修正例についても本発明の範囲に属するものと了解される。
【符号の説明】
【００５９】
１０…操作部、  １０ａ…操作面、  １０ｂ…裏面、  １０ｂｔ…上端部、  １０ｅａ…第１端部、  １０ｅｂ…第２端部、  １１ｂ…操作面側端部、  １２ｂ…裏面側端部、  １３ａ…第１裏面部分、  １３ｂ…第２裏面部分、  １３ｃ…第３裏面部分、  １４…コネクタ、  １５…ケーブル、  １５ａ…ワイヤ部、  １５ｃ…ケーブルコネクタ、  ２０…操作受付部、  ２１ａ、２１ｂ、２２ａ、２２ｂ、２３ａ、２３ｂ、２４ａ、２４ｂ、２５ａ、２５ａ…ボタン、  ２８…表示領域、  ３０…フック、  ３１〜３４…第１〜第４部分、  ５０…スイッチ、  ５１…端部スイッチ、  ７０…可動部、  ７０ａ…背ボトム、  ７０ｂ…膝ボトム、  ７０ｃ…脚ボトム、  ７０ｄ…高さ変更部、  ７０ｅ…背もたれ部、  ７０ｆ…座面部、  ８８…水平面、  １１０、１１１…制御装置、  ３１０、３１１…電動家具、  Ｄ１〜Ｄ２…第１〜第３方向、  ｄ１〜ｄ３…距離、  ｄ３２〜ｄ３４…距離、  ｄｘ、ｄｙ…距離、  ｗ１〜ｗ３…幅
【図１】
2018185991.tif 000003
【図２】
2018185991.tif 000004
【図３】
2018185991.tif 000005
【図４】
2018185991.tif 000006
【図５】
2018185991.tif 000007